(57)【特許請求の範囲】
【請求項１】
放射線画像の撮影を行う放射線検出器、および駆動用の電力を供給する電池を備えた可搬型の放射線画像撮影装置と、
前記放射線画像撮影装置による放射線画像の撮影に関する制御を行う制御手段を備えた撮影制御装置と、
前記放射線画像撮影装置または前記撮影制御装置に備えられ、前記放射線画像撮影装置による放射線画像の残りの撮影枚数を示す残撮影枚数情報、および前記電池の残電力量を示す残電力量情報を送信する送信手段と、
前記送信手段によって送信された残撮影枚数情報と残電力量情報とを受信する受信手段、前記受信手段によって受信された残電力量情報に基づいて、前記放射線画像撮影装置による撮影可能枚数を導出する導出手段、および前記受信手段によって受信された前記残撮影枚数情報により示される残りの撮影枚数と前記導出手段によって導出された撮影可能枚数とを報知する報知手段を備えた可搬型の報知装置と、
を有する放射線画像撮影システム。
【請求項２】
前記送信手段は、前記放射線画像撮影装置においてエラーおよびワーニングの少なくとも一方の状態が発生した場合に、発生した状態を示す状態情報をさらに送信し、
前記受信手段は、前記送信手段によって送信された状態情報をさらに受信し、
前記報知手段は、前記受信手段によって受信された状態情報により示される状態をさらに報知する
請求項１記載の放射線画像撮影システム。
【請求項３】
前記報知手段は、前記受信手段によって受信された残電力量情報により示される前記電池の残電力量をさらに報知する
請求項１または請求項２記載の放射線画像撮影システム。
【請求項４】
前記送信手段は、前記放射線画像撮影装置による放射線画像の撮影により得られた画像情報の前記撮影制御装置への送信が終了したことを示す終了情報をさらに送信し、
前記受信手段は、前記送信手段によって送信された終了情報をさらに受信し、
前記報知手段は、前記受信手段によって前記終了情報を受信した場合に、前記画像情報の送信が終了したことをさらに報知する
請求項１から請求項３の何れか１項記載の放射線画像撮影システム。
【請求項５】
前記送信手段は、前記放射線画像撮影装置により放射線画像の撮影を連続的に行う場合で、かつ当該連続的に行う放射線画像の撮影が全て終了した場合に、当該撮影が全て終了したことを示す全終了情報をさらに送信し、
前記受信手段は、前記送信手段によって送信された全終了情報をさらに受信し、
前記報知手段は、前記受信手段によって前記全終了情報を受信した場合に、前記連続的な放射線画像の撮影が全て終了したことをさらに報知する
請求項４記載の放射線画像撮影システム。
【請求項６】
前記報知手段は、報知対象を音および振動の少なくとも一方により報知する
請求項１から請求項５の何れか１項記載の放射線画像撮影システム。
【請求項７】
放射線画像の撮影を行う放射線検出器、および駆動用の電力を供給する電池を備えた可搬型の放射線画像撮影装置による放射線画像の残りの撮影枚数を示す残撮影枚数情報と前記電池の残電力量を示す残電力量情報とを受信する受信手段と、
前記受信手段によって受信された残電力量情報に基づいて、前記放射線画像撮影装置による撮影可能枚数を導出する導出手段と、
前記受信手段によって受信された前記残撮影枚数情報により示される残りの撮影枚数と前記導出手段によって導出された撮影可能枚数とを報知する報知手段と、
を備えた可搬型の報知装置。
【発明の詳細な説明】
【技術分野】
【０００１】
本発明は、放射線画像撮影システムおよび報知装置に係り、特に、放射線源から射出されて被検者を透過した放射線により示される放射線画像の撮影を行う放射線画像撮影システム、および前記放射線画像の撮影に関する情報を報知する報知装置に関する。
【背景技術】
【０００２】
近年、ＴＦＴ（Thin Film Transistor）アクティブマトリクス基板上に放射線感応層を配置し、放射線を直接デジタルデータに変換できるＦＰＤ（Flat Panel Detector）等の放射線検出器が実用化されており、この放射線検出器を用いて、照射された放射線により表わされる放射線画像を撮影する可搬型放射線画像撮影装置（以下、「電子カセッテ」ともいう。）が実用化されている。なお、上記電子カセッテに用いられる放射線検出器には、放射線を変換する方式として、放射線をシンチレータで光に変換した後にフォトダイオード等の半導体層で電荷に変換する間接変換方式や、放射線をアモルファスセレン等の半導体層で電荷に変換する直接変換方式等があり、各方式でも半導体層に使用可能な材料が種々存在する。
【０００３】
ところで、以上のような電子カセッテを用いて放射線画像の撮影を行う場合、放射線画像の撮影に関する情報は、一般に、撮影室とは別室に設けられたコンソールにより管理されているため、当該情報を放射線画像の撮影者が把握するためには上記コンソールを参照する必要があり、手間がかかるものであった。
【０００４】
従来、このような手間を回避するために適用できる技術として、特許文献１には、撮影オーダ情報と医用画像とを対応付けて管理する制御装置と、前記制御装置から撮影オーダ情報を取得する携帯端末と、がネットワークを介して接続された医用画像撮影システムであって、前記携帯端末が、前記制御装置から取得した撮影オーダ情報に基づいて撮影される医用画像を記録するカセッテの識別情報を取得する取得手段と、前記取得したカセッテの識別情報を当該撮影オーダ情報に対応付けて記憶する記憶手段と、ネットワークへの接続を検出する検出手段と、前記ネットワークへの接続が検出された場合に、前記撮影オーダ情報に対応付けられたカセッテの識別情報を前記制御装置に送信する通信手段と、を備え、前記制御装置が、前記撮影オーダ情報に対応付けられたカセッテの識別情報を受信する通信手段を備えることを特徴とする医用画像撮影システムが開示されている。
【０００５】
この医用画像撮影システムによれば、携帯端末により、制御装置から取得した撮影オーダ情報を表示部により表示しているため、当該撮影オーダ情報を参照することにより、前述した手間を回避することができる。
【０００６】
また、特許文献２には、医用撮影する患者に固有の患者ＩＤと撮影部位を示す撮影条件とを含む撮影オーダ情報を読み出し可能に保持し、入力された指示に応じて該撮影オーダ情報を外部に送信する情報管理装置と、病院内の通信ネットワークを介して前記情報管理装置から前記撮影オーダ情報を取得する制御装置と、前記制御装置から取得した撮影オーダ情報を表示画面に表示し、該表示した撮影オーダ情報の中から特定の患者に係る情報を取得し、該患者を医用撮影する際に用いる撮影パネルに固有のパネル識別情報を取得し、該取得したパネル識別情報を撮影オーダ情報と関連付けてメモリに記憶する携帯端末と、を備え、前記携帯端末が、各種指示入力が行える入力キーを備え、当該入力キーによる入力操作により、前記制御装置から取得した撮影オーダ情報を前記表示画面に表示する旨の指示入力と、該表示した撮影オーダ情報の中から特定の患者に係る情報を取得する旨の指示入力と、該患者を医用撮影する際に用いる撮影パネルに固有のパネル識別情報を取得する旨の指示入力と、該取得したパネル識別情報を撮影オーダ情報と関連付けて前記メモリに記憶する旨の指示入力とを行うことを特徴とする医用画像撮影システムが開示されている。
【０００７】
この医用画像撮影システムによっても、携帯端末により表示された撮影オーダ情報を参照することにより、前述した手間を回避することができる。
【０００８】
さらに、特許文献３には、撮影対象となる患者の識別情報および撮影に関する情報を含む撮影オーダ情報を受信する受信部と、前記受信した撮影オーダ情報を記憶する記憶部と、患者の識別情報を入力する入力部と、前記入力された患者の識別情報に基づいて前記記憶部に記憶された撮影オーダ情報を取得して表示部に表示する表示制御手段と、を備えることを特徴とする医用画像端末装置が開示されている。
【０００９】
この医用画像端末装置によっても、表示部に表示された撮影オーダ情報を参照することにより、前述した手間を回避することができる。
【先行技術文献】
【特許文献】
【００１０】
【特許文献１】特開２００４−２６７６６７号公報
【特許文献２】特開２００４−２９８２２５号公報
【特許文献３】特開２００４−１４７９０６号公報
【発明の概要】
【発明が解決しようとする課題】
【００１１】
ところで、電子カセッテにより一人の患者に対して放射線画像の撮影を連続的に行う必要がある場合、予定されている全ての撮影が終了していないにも関わらず撮影作業を終了してしまう場合があった。
【００１２】
これに対し、上記特許文献１〜特許文献３に開示されている技術では、表示された撮影オーダ情報を参照することによって、予定されている撮影枚数を把握することはできるものの、当該撮影枚数分の撮影が実際に終了したか否かについては自身の記憶により判断せざるを得ず、この結果として、必ずしも予定されている全ての撮影を確実に実施することができるとは限らない、という問題点があった。
【００１３】
本発明は上記問題点を解決するためになされたものであり、予定されている撮影の撮り残しを防止することができる放射線画像撮影システムおよび報知装置を提供することを目的とする。
【課題を解決するための手段】
【００１４】
上記目的を達成するために、請求項１に記載の放射線画像撮影システムは、放射線画像の撮影を行う放射線検出器、および駆動用の電力を供給する電池を備えた可搬型の放射線画像撮影装置と、前記放射線画像撮影装置による放射線画像の撮影に関する制御を行う制御手段を備えた撮影制御装置と、前記放射線画像撮影装置または前記撮影制御装置に備えられ、前記放射線画像撮影装置による放射線画像の残りの撮影枚数を示す残撮影枚数情報、および前記電池の残電力量を示す残電力量情報を送信する送信手段と、前記送信手段によって送信された残撮影枚数情報と残電力量情報とを受信する受信手段、前記受信手段によって受信された残電力量情報に基づいて、前記放射線画像撮影装置による撮影可能枚数を導出する導出手段、および前記受信手段によって受信された前記残撮影枚数情報により示される残りの撮影枚数と前記導出手段によって導出された撮影可能枚数とを報知する報知手段を備えた可搬型の報知装置と、を有している。
【００１５】
請求項１に記載の放射線画像撮影システムによれば、駆動用の電力を供給する電池を備えた可搬型の放射線画像撮影装置により、放射線検出器によって放射線画像の撮影が行われる。
【００１６】
ここで、本発明では、撮影制御装置により、制御手段によって前記放射線画像撮影装置による放射線画像の撮影に関する制御が行われる一方、前記放射線画像撮影装置または前記撮影制御装置に備えられた送信手段により、前記放射線画像撮影装置による放射線画像の残りの撮影枚数を示す残撮影枚数情報、および前記電池の残電力量を示す残電力量情報が送信される。
【００１７】
そして、本発明では、可搬型の報知装置により、受信手段によって前記送信手段により送信された残撮影枚数情報と残電力量情報とが受信され、報知手段によって前記受信手段により受信された前記残撮影枚数情報により示される残りの撮影枚数が報知される。
また、本発明では、可搬型の報知装置により、導出手段によって前記受信手段により受信された残電力量情報に基づいて、前記放射線画像撮影装置による撮影可能枚数が導出され、報知手段によって前記導出手段により導出された撮影可能枚数が報知される。
【００１８】
このように、請求項１に記載の放射線画像撮影システムによれば、可搬型の報知装置によって放射線画像撮影装置による放射線画像の残りの撮影枚数と撮影可能枚数とを報知しているので、当該報知装置を撮影者に所持させることにより、予定されている撮影の撮り残しを防止することができる。
【００１９】
なお、本発明は、請求項２に記載の発明のように、前記送信手段が、前記放射線画像撮影装置においてエラーおよびワーニングの少なくとも一方の状態が発生した場合に、発生した状態を示す状態情報をさらに送信し、前記受信手段が、前記送信手段によって送信された状態情報をさらに受信し、前記報知手段が、前記受信手段によって受信された状態情報により示される状態をさらに報知してもよい。これにより、撮影者に対して放射線画像撮影装置におけるエラーおよびワーニングの少なくとも一方の発生を容易に把握させることができる結果、当該エラーやワーニングの発生に起因する撮影の撮り残しを防止することができる。
【００２０】
また、本発明は、請求項３に記載の発明のように、前記報知手段が、前記受信手段によって受信された残電力量情報により示される前記電池の残電力量をさらに報知してもよい。これにより、放射線画像撮影装置に設けられた電池の残電力量不足に起因する撮影の撮り残しを防止することができる。
【００２１】
また、本発明は、請求項４に記載の発明のように、前記送信手段が、前記放射線画像撮影装置による放射線画像の撮影により得られた画像情報の前記撮影制御装置への送信が終了したことを示す終了情報をさらに送信し、前記受信手段が、前記送信手段によって送信された終了情報をさらに受信し、前記報知手段が、前記受信手段によって前記終了情報を受信した場合に、前記画像情報の送信が終了したことをさらに報知してもよい。これにより、撮影者に対して、放射線画像撮影装置から撮影制御装置への画像情報の送信が終了したことを容易に把握させることができる結果、当該画像情報の送信中に撮影を行ってしまうことに起因する撮影の撮り残しを防止することができる。
【００２２】
特に、請求項４に記載の発明は、請求項５に記載の発明のように、前記送信手段が、前記放射線画像撮影装置により放射線画像の撮影を連続的に行う場合で、かつ当該連続的に行う放射線画像の撮影が全て終了した場合に、当該撮影が全て終了したことを示す全終了情報をさらに送信し、前記受信手段が、前記送信手段によって送信された全終了情報をさらに受信し、前記報知手段が、前記受信手段によって前記全終了情報を受信した場合に、前記連続的な放射線画像の撮影が全て終了したことをさらに報知してもよい。これにより、撮影者に対して連続的な放射線画像の撮影が全て終了したことを容易に把握させることができる結果、より高いレベルで撮り残しを防止することができる。
【００２３】
さらに、本発明は、請求項６に記載の発明のように、前記報知手段が、報知対象を音および振動の少なくとも一方により報知してもよい。これにより、報知装置により報知対象とする情報を表示する場合のように当該報知装置に対して視線を向ける必要がないため、撮影者に対して当該情報を、より容易に把握させることができる。
【００２４】
一方、上記目的を達成するために、請求項７に記載の報知装置は、放射線画像の撮影を行う放射線検出器、および駆動用の電力を供給する電池を備えた可搬型の放射線画像撮影装置による放射線画像の残りの撮影枚数を示す残撮影枚数情報と前記電池の残電力量を示す残電力量情報とを受信する受信手段と、前記受信手段によって受信された残電力量情報に基づいて、前記放射線画像撮影装置による撮影可能枚数を導出する導出手段と、前記受信手段によって受信された前記残撮影枚数情報により示される残りの撮影枚数と前記導出手段によって導出された撮影可能枚数とを報知する報知手段と、を備えている。
【００２５】
従って、本発明によれば、請求項１に記載の放射線画像撮影システムにおける報知装置と同様に作用するので、請求項１に記載の発明と同様に、予定されている撮影の撮り残しを防止することができる。
【発明の効果】
【００２６】
本発明によれば、可搬型の報知装置によって放射線画像撮影装置による放射線画像の残りの撮影枚数と撮影可能枚数とを報知しているので、当該報知装置を撮影者に所持させることにより、予定されている撮影の撮り残しを防止することができる、という効果が得られる。
【図面の簡単な説明】
【００２７】
【図１】実施の形態に係る放射線情報システムの構成を示すブロック図である。
【図２】実施の形態に係る放射線画像撮影システムの放射線撮影室における各装置の配置状態の一例を示す側面図である。
【図３】実施の形態に係る電子カセッテの内部構成を示す透過斜視図である。
【図４】実施の形態に係る放射線画像撮影システムの電気系の要部構成を示すブロック図である。
【図５】実施の形態に係る報知パターン情報の構成を示す模式図である。
【図６】実施の形態に係る放射線画像撮影処理プログラムの処理の流れを示すフローチャートである。
【図７】実施の形態に係る初期情報入力画面の一例を示す概略図である。
【図８】実施の形態に係る第１情報送信処理ルーチン・プログラムの処理の流れを示すフローチャートである。
【図９】実施の形態に係る第２情報送信処理ルーチン・プログラムの処理の流れを示すフローチャートである。
【図１０】実施の形態に係る第３情報送信処理ルーチン・プログラムの処理の流れを示すフローチャートである。
【図１１】実施の形態に係る報知処理プログラムの処理の流れを示すフローチャートである。
【図１２】実施の形態に係る撮影関連情報報知画面の一例を示す概略図である。
【発明を実施するための形態】
【００２８】
以下、図面を参照して、本発明を実施するための形態について詳細に説明する。なお、ここでは、本発明を、病院における放射線科部門で取り扱われる情報を統括的に管理するシステムである放射線情報システムに適用した場合の形態例について説明する。
【００２９】
まず、図１を参照して、本実施の形態に係る放射線情報システム（以下、「ＲＩＳ」（Radiology Information System）と称する。）１０の構成について説明する。
【００３０】
ＲＩＳ１０は、放射線科部門内における、診療予約、診断記録等の情報管理を行うためのシステムであり、病院情報システム（以下、「ＨＩＳ」（Hospital Information System）と称する。）の一部を構成する。
【００３１】
ＲＩＳ１０は、複数台の撮影依頼端末装置（以下、「端末装置」と称する。）１２、ＲＩＳサーバ１４、および病院内の放射線撮影室（あるいは手術室）の個々に設置された放射線画像撮影システム（以下、「撮影システム」と称する。）１８を有しており、これらが有線や無線のＬＡＮ（Local Area Network）等から成る病院内ネットワーク１６に各々接続されて構成されている。なお、ＲＩＳ１０は、同じ病院内に設けられたＨＩＳの一部を構成しており、病院内ネットワーク１６には、ＨＩＳ全体を管理するＨＩＳサーバ（図示省略。）も接続されている。
【００３２】
端末装置１２は、医師や放射線技師が、診断情報や施設予約の入力、閲覧等を行うためのものであり、放射線画像の撮影依頼や撮影予約もこの端末装置１２を介して行われる。各端末装置１２は、表示装置を有するパーソナル・コンピュータを含んで構成され、ＲＩＳサーバ１４と病院内ネットワーク１６を介して相互通信が可能とされている。
【００３３】
一方、ＲＩＳサーバ１４は、各端末装置１２からの撮影依頼を受け付け、撮影システム１８における放射線画像の撮影スケジュールを管理するものであり、データベース１４Ａを含んで構成されている。
【００３４】
データベース１４Ａは、患者（被検者）の属性情報（氏名、性別、生年月日、年齢、血液型、体重、患者ＩＤ（Identification）等）、病歴、受診歴、過去に撮影した放射線画像等の患者に関する情報、撮影システム１８で用いられる、後述する電子カセッテ３２の識別番号（ＩＤ情報）、型式、サイズ、感度、使用可能な撮影部位（対応可能な撮影依頼の内容）、使用開始年月日、使用回数等の電子カセッテ３２に関する情報、および電子カセッテ３２を用いて放射線画像を撮影する環境、すなわち、電子カセッテ３２を使用する環境（一例として、放射線撮影室や手術室等）を示す環境情報を含んで構成されている。
【００３５】
撮影システム１８は、ＲＩＳサーバ１４からの指示に応じて医師や放射線技師等の撮影者の操作により放射線画像の撮影を行う。撮影システム１８は、放射線源１３０（図２も参照。）から曝射条件に従った線量とされた放射線Ｘ（図３も参照。）を被検者に照射する放射線発生装置３４と、被検者の撮影対象部位を透過した放射線Ｘを吸収して電荷を発生し、発生した電荷量に基づいて放射線画像を示す画像情報を生成する放射線検出器６０（図３も参照。）を内蔵する電子カセッテ３２と、電子カセッテ３２に内蔵されているバッテリを充電するクレードル４０と、電子カセッテ３２，放射線発生装置３４，およびクレードル４０を制御するコンソール４２と、を備えている。
【００３６】
コンソール４２は、ＲＩＳサーバ１４からデータベース１４Ａに含まれる各種情報を取得して後述するＨＤＤ１１０（図４参照。）に記憶し、当該情報に基づいて、電子カセッテ３２，放射線発生装置３４，およびクレードル４０の制御を行う。
【００３７】
ここで、本実施の形態に係る撮影システム１８は、放射線画像の撮影時に撮影者によって所持される携帯端末装置１４０が含まれている。なお、本実施の形態に係る撮影システム１８では、携帯端末装置１４０として専用のＰＤＡ（Personal Digital Assistant、携帯情報端末）を適用しているが、これに限らず、汎用のＰＤＡや、携帯電話機等の可搬性を有する他の端末装置を適用する形態としてもよい。
【００３８】
図２には、本実施の形態に係る撮影システム１８の放射線撮影室４４における各装置の配置状態の一例が示されている。
【００３９】
同図に示すように、放射線撮影室４４には、立位での放射線撮影を行う際に用いられる立位台４５と、臥位での放射線撮影を行う際に用いられる臥位台４６とが設置されており、立位台４５の前方空間は立位での放射線撮影を行う際の被検者の撮影位置４８とされ、臥位台４６の上方空間は臥位での放射線撮影を行う際の被検者の撮影位置５０とされている。
【００４０】
立位台４５には電子カセッテ３２を保持する保持部１５０が設けられており、立位での放射線画像の撮影を行う際には、電子カセッテ３２が保持部１５０に保持される。同様に、臥位台４６には電子カセッテ３２を保持する保持部１５２が設けられており、臥位での放射線画像の撮影を行う際には、電子カセッテ３２が保持部１５２に保持される。
【００４１】
また、放射線撮影室４４には、単一の放射線源１３０からの放射線によって立位での放射線撮影も臥位での放射線撮影も可能とするために、放射線源１３０を、水平な軸回り（図２の矢印Ａ方向）に回動可能で、鉛直方向（図２の矢印Ｂ方向）に移動可能で、さらに水平方向（図２の矢印Ｃ方向）に移動可能に支持する支持移動機構５２が設けられている。ここで、支持移動機構５２は、放射線源１３０を水平な軸回りに回動させる駆動源と、放射線源１３０を鉛直方向に移動させる駆動源と、放射線源１３０を水平方向に移動させる駆動源を各々備えている（何れも図示省略。）。
【００４２】
一方、クレードル４０には、電子カセッテ３２を収納可能な収容部４０Ａが形成されている。
【００４３】
電子カセッテ３２は、未使用時にはクレードル４０の収容部４０Ａに収納された状態で内蔵されているバッテリに充電が行われ、放射線画像の撮影時には撮影者によってクレードル４０から取り出され、撮影姿勢が立位であれば立位台４５の保持部１５０に保持され、撮影姿勢が臥位であれば臥位台４６の保持部１５２に保持される。
【００４４】
なお、本実施の形態に係る撮影システム１８では、コンソール４２が、放射線撮影室４４において扉を隔てて仕切られた操作室（図示省略。）に設けられており、放射線発生装置３４とコンソール４２との間、電子カセッテ３２とコンソール４２との間、および携帯端末装置１４０とコンソール４２との間で、無線通信によって各種情報の送受信を行う。
【００４５】
なお、電子カセッテ３２は、立位台４５の保持部１５０や臥位台４６の保持部１５２で保持された状態のみで使用されるものではなく、その可搬性から、保持部に保持されていない状態で使用することもできる。
【００４６】
図３には、本実施の形態に係る電子カセッテ３２の内部構成が示されている。
【００４７】
同図に示すように、電子カセッテ３２は、放射線Ｘを透過させる材料からなる筐体５４を備えており、防水性、密閉性を有する構造とされている。電子カセッテ３２は、手術室等で使用されるとき、血液やその他の雑菌が付着するおそれがある。そこで、電子カセッテ３２を防水性、密閉性を有する構造として、必要に応じて殺菌洗浄することにより、１つの電子カセッテ３２を繰り返し続けて使用することができる。
【００４８】
筐体５４の内部には、放射線Ｘが照射される筐体５４の照射面５６側から、被検者による放射線Ｘの散乱線を除去するグリッド５８、被検者を透過した放射線Ｘを検出する放射線検出器６０、および放射線Ｘのバック散乱線を吸収する鉛板６２が順に配設されている。なお、筐体５４の照射面５６をグリッド５８として構成してもよい。
【００４９】
また、筐体５４の内部の一端側には、マイクロコンピュータを含む電子回路および充電可能で、かつ着脱可能なバッテリ９６Ａを収容するケース３１が配置されている。放射線検出器６０および電子回路は、ケース３１に配置されたバッテリ９６Ａから供給される電力によって作動する。ケース３１内部に収容された各種回路が放射線Ｘの照射に伴って損傷することを回避するため、ケース３１の照射面５６側には鉛板等を配設しておくことが望ましい。なお、本実施の形態に係る電子カセッテ３２は、照射面５６の形状が長方形とされた直方体とされており、その長手方向一端部にケース３１が配置されている。
【００５０】
さらに、筐体５４の外壁の所定位置には、電子カセッテ３２を移動させる際に把持される把手５４Ｂが設けられている。なお、本実施の形態に係る電子カセッテ３２では、把手５４Ｂが筐体５４における照射面５６の長手方向に延設された側壁の中央部に設けられているが、これに限らず、例えば、照射面５６の短手方向に延設された側壁の中央部、これら側壁の中央部より電子カセッテ３２の重心位置の偏りを考慮した距離だけ偏倚した位置等、他の位置に設けてもよいことは言うまでもない。
【００５１】
次に、図４を参照して、本実施の形態に係る撮影システム１８の電気系の要部構成について説明する。
【００５２】
同図に示すように、電子カセッテ３２に内蔵された放射線検出器６０は、ＴＦＴアクティブマトリクス基板６６上に、放射線Ｘを吸収し、電荷に変換する光電変換層が積層されて構成されている。光電変換層は例えばセレンを主成分（例えば含有率５０％以上）とする非晶質のａ−Ｓｅ（アモルファスセレン）からなり、放射線Ｘが照射されると、照射された放射線量に応じた電荷量の電荷（電子−正孔の対）を内部で発生することで、照射された放射線Ｘを電荷へ変換する。なお、放射線検出器６０は、アモルファスセレンのような放射線Ｘを直接的に電荷に変換する放射線−電荷変換材料の代わりに、蛍光体材料と光電変換素子（フォトダイオード）を用いて間接的に電荷に変換してもよい。蛍光体材料としては、ガドリニウム硫酸化物（ＧＯＳ）やヨウ化セシウム（ＣｓＩ）がよく知られている。この場合、蛍光体材料によって放射線Ｘ−光変換を行い、光電変換素子のフォトダイオードによって光−電荷変換を行う。
【００５３】
また、ＴＦＴアクティブマトリクス基板６６上には、光電変換層で発生された電荷を蓄積する蓄積容量６８と、蓄積容量６８に蓄積された電荷を読み出すためのＴＦＴ７０を備えた画素部７４（図４では個々の画素部７４に対応する光電変換層を光電変換部７２として模式的に示している。）がマトリクス状に多数個配置されており、電子カセッテ３２への放射線Ｘの照射に伴って光電変換層で発生された電荷は、個々の画素部７４の蓄積容量６８に蓄積される。これにより、電子カセッテ３２に照射された放射線Ｘに担持されていた画像情報は電荷情報へ変換されて放射線検出器６０に保持される。
【００５４】
また、ＴＦＴアクティブマトリクス基板６６には、一定方向（行方向）に延設され、個々の画素部７４のＴＦＴ７０をオン・オフさせるための複数本のゲート配線７６と、ゲート配線７６と直交する方向（列方向）に延設され、オンされたＴＦＴ７０を介して蓄積容量６８から蓄積電荷を読み出すための複数本のデータ配線７８が設けられている。個々のゲート配線７６はゲート線ドライバ８０に接続されており、個々のデータ配線７８は信号処理部８２に接続されている。個々の画素部７４の蓄積容量６８に電荷が蓄積されると、個々の画素部７４のＴＦＴ７０は、ゲート線ドライバ８０からゲート配線７６を介して供給される信号により行単位で順にオンされ、ＴＦＴ７０がオンされた画素部７４の蓄積容量６８に蓄積されている電荷は、アナログの電気信号としてデータ配線７８を伝送されて信号処理部８２に入力される。従って、個々の画素部７４の蓄積容量６８に蓄積されている電荷は行単位で順に読み出される。
【００５５】
一方、信号処理部８２は、個々のデータ配線７８毎に設けられた増幅器およびサンプルホールド回路を備えており、個々のデータ配線７８を伝送された電荷信号は増幅器で増幅された後にサンプルホールド回路に保持される。また、サンプルホールド回路の出力側にはマルチプレクサ、Ａ／Ｄ（アナログ／デジタル）変換器が順に接続されており、個々のサンプルホールド回路に保持された電荷信号はマルチプレクサに順に（シリアルに）入力され、Ａ／Ｄ変換器によってデジタルの画像データへ変換される。
【００５６】
信号処理部８２には画像メモリ９０が接続されており、信号処理部８２のＡ／Ｄ変換器から出力された画像データは画像メモリ９０に順に記憶される。画像メモリ９０は複数フレーム分の画像データを記憶可能な記憶容量を有しており、放射線画像の撮影が行われる毎に、撮影によって得られた画像データが画像メモリ９０に順次記憶される。
【００５７】
画像メモリ９０は電子カセッテ３２全体の動作を制御するカセッテ制御部９２と接続されている。カセッテ制御部９２はマイクロコンピュータを含んで構成されており、ＣＰＵ（中央処理装置）９２Ａ、ＲＯＭ（Read Only Memory）およびＲＡＭ（Random Access Memory）を含むメモリ９２Ｂ、ＨＤＤ（ハードディスク・ドライブ）やフラッシュメモリ等からなる不揮発性の記憶部９２Ｃを備えている。
【００５８】
また、カセッテ制御部９２には無線通信部９４が接続されている。本実施の形態に係る無線通信部９４は、ＩＥＥＥ（Institute of Electrical and Electronics Engineers）８０２．１１ａ／ｂ／ｇ等に代表される無線ＬＡＮ（Local Area Network）規格に対応しており、無線通信による外部機器との間での各種情報の伝送を制御する。カセッテ制御部９２は、無線通信部９４を介してコンソール４２と無線通信が可能とされており、コンソール４２との間で各種情報の送受信が可能とされている。
【００５９】
また、電子カセッテ３２には電源部９６が設けられており、上述した各種回路や各素子（ゲート線ドライバ８０、信号処理部８２、画像メモリ９０、無線通信部９４、カセッテ制御部９２等）は、電源部９６から供給された電力によって作動する。電源部９６は、電子カセッテ３２の可搬性を損なわないように、前述したバッテリ（二次電池）９６Ａを内蔵しており、充電されたバッテリ９６Ａから各種回路や各素子へ電力を供給する。なお、図４では、電源部９６と各種回路や各素子を接続する配線の図示を省略している。
【００６０】
一方、コンソール４２は、サーバ・コンピュータとして構成されており、操作メニューや撮影された放射線画像等を表示するディスプレイ１００と、複数のキーを含んで構成され、各種の情報や操作指示が入力される操作パネル１０２と、を備えている。
【００６１】
また、本実施の形態に係るコンソール４２は、装置全体の動作を司るＣＰＵ１０４と、制御プログラムを含む各種プログラム等が予め記憶されたＲＯＭ１０６と、各種データを一時的に記憶するＲＡＭ１０８と、各種データを記憶して保持するＨＤＤ１１０と、ディスプレイ１００への各種情報の表示を制御するディスプレイドライバ１１２と、操作パネル１０２に対する操作状態を検出する操作入力検出部１１４と、を備えている。また、コンソール４２は、無線通信により、放射線発生装置３４との間で後述する曝射条件等の各種情報の送受信を行うと共に、電子カセッテ３２との間で画像データ等の各種情報の送受信を行い、さらに携帯端末装置１４０との間で後述する携帯提示情報等の各種情報の送受信を行う無線通信部１１８を備えている。
【００６２】
ＣＰＵ１０４、ＲＯＭ１０６、ＲＡＭ１０８、ＨＤＤ１１０、ディスプレイドライバ１１２、操作入力検出部１１４、および無線通信部１１８は、システムバスＢＵＳを介して相互に接続されている。従って、ＣＰＵ１０４は、ＲＯＭ１０６、ＲＡＭ１０８、ＨＤＤ１１０へのアクセスを行うことができると共に、ディスプレイドライバ１１２を介したディスプレイ１００への各種情報の表示の制御、および無線通信部１１８を介した放射線発生装置３４、電子カセッテ３２、および携帯端末装置１４０との各種情報の送受信の制御を各々行うことができる。また、ＣＰＵ１０４は、操作入力検出部１１４を介して操作パネル１０２に対するユーザの操作状態を把握することができる。
【００６３】
一方、放射線発生装置３４は、放射線源１３０と、コンソール４２との間で曝射条件等の各種情報を送受信する無線通信部１３２と、受信した曝射条件に基づいて放射線源１３０を制御する線源制御部１３４と、を備えている。
【００６４】
線源制御部１３４もマイクロコンピュータを含んで構成されており、受信した曝射条件等を記憶する。このコンソール４２から受信する曝射条件には管電圧、管電流、曝射期間等の情報が含まれている。線源制御部１３４は、受信した曝射条件に基づいて放射線源１３０から放射線Ｘを照射させる。
【００６５】
さらに、本実施の形態に係る携帯端末装置１４０は、フラッシュメモリ等からなる不揮発性のメモリ１４１Ａを有すると共に、携帯端末装置１４０全体の動作を制御する端末制御部１４１と、コンソール４２との間で後述する携帯提示情報等の各種情報を送受信する無線通信部１４２と、各種情報を表示する表示部１４３と、音を生成するスピーカ１４４と、携帯端末装置１４０を振動させるバイブレータ１４５と、を備えている。
【００６６】
端末制御部１４１もマイクロコンピュータを含んで構成されており、受信した携帯提示情報等に基づいて、表示部１４３により各種情報を表示させたり、スピーカ１４４から音を生成させたり、バイブレータ１４５を振動させたりする。
【００６７】
また、携帯端末装置１４０には電源部１４６が設けられており、端末制御部１４１、無線通信部１４２、表示部１４３、スピーカ１４４、およびバイブレータ１４５の各部は、電源部１４６から供給された電力によって作動する。電源部１４６もまた、携帯端末装置１４０の可搬性を損なわないようにバッテリ（二次電池）を内蔵しており、充電されたバッテリから上記各部へ電力を供給する。なお、図４では、電源部１４６と上記各部を接続する配線の図示を省略している。
【００６８】
ところで、本実施の形態に係る撮影システム１８には、電子カセッテ３２において何らかのエラーが発生した場合に当該エラーを示す情報であるエラー情報を、電子カセッテ３２からコンソール４２に送信する一方、コンソール４２において受信したエラー情報をＨＤＤ１１０の所定領域に記憶するエラー情報記憶機能と、電子カセッテ３２において何らかのワーニングが発生した場合に当該ワーニングを示す情報であるワーニング情報を、電子カセッテ３２からコンソール４２に送信し、コンソール４２において受信したワーニング情報をＨＤＤ１１０の所定領域に記憶するワーニング情報記憶機能と、が設けられている。
【００６９】
また、本実施の形態に係る撮影システム１８には、電子カセッテ３２に設けられたバッテリ９６Ａの残電力量を示す情報である残電力量情報を、電子カセッテ３２からコンソール４２に所定時間間隔（本実施の形態では、５秒間隔）で送信する一方、コンソール４２において受信した残電力量情報をＨＤＤ１１０の所定領域に記憶する残電力量情報記憶機能が設けられている。
【００７０】
また、本実施の形態に係る撮影システム１８には、電子カセッテ３２による放射線画像の撮影に関する各種情報を携帯端末装置１４０によって報知する報知機能が設けられている。そして、この報知機能を実現するため、携帯端末装置１４０のメモリ１４１Ａには、図５に示される報知パターン情報が予め記憶されている。
【００７１】
同図に示すように、本実施の形態に係る報知パターン情報は、予め定められた放射線画像の撮影に関する状態の種別毎に、スピーカ１４４による報知状態を示す報知音パターン、およびバイブレータ１４５による報知状態を示す報知振動パターンが記憶されて構成されている。
【００７２】
なお、同図に示すように、本実施の形態では、上記放射線画像の撮影に関する状態の種別として、電子カセッテ３２からコンソール４２への１枚分の放射線画像を示す画像データの送信が終了した状態である「１画像送信終了」と、電子カセッテ３２からコンソール４２への、後述する初期情報入力画面（図７も参照。）において入力された撮影枚数分の放射線画像を示す画像データの送信が終了した状態である「全画像送信終了」と、電子カセッテ３２においてワーニングが発生した状態である「ワーニング発生」と、電子カセッテ３２においてエラーが発生した状態である「エラー発生」とが適用されている。図５に示す例では、例えば、放射線画像の撮影に関する状態が「１画像送信終了」となった場合は、上記報知機能により、携帯端末装置１４０のスピーカ１４４によって予め定められた音（本実施の形態では、ブザー音）を間欠的に１秒間鳴動させる一方、バイブレータ１４５による振動は行わないことを示している。
【００７３】
図５に示すように、本実施の形態に係る撮影システム１８では、報知すべき状態を音および振動の組み合わせによって報知すると共に、報知音パターンおよび報知振動パターンとして、上記放射線画像の撮影に関する状態の種別毎に異なるものが適用されているため、撮影者は、上記放射線画像の撮影に関する状態が何れの状態にあるのかを、携帯端末装置１４０に視線を移すことなく、容易に把握することができる。
【００７４】
また、上記報知機能を実現するため、コンソール４２のＲＯＭ１０６には、電子カセッテ３２からコンソール４２への１枚分の放射線画像を示す画像データの送信が終了したことを示す終了情報、および電子カセッテ３２からコンソール４２への後述する初期情報入力画面において入力された撮影枚数分の放射線画像を示す画像データの送信が終了したことを示す全終了情報が予め記憶されている。
【００７５】
次に、本実施の形態に係る撮影システム１８の作用を説明する。
【００７６】
まず、図６を参照して、放射線画像の撮影を行う際のコンソール４２の作用を説明する。なお、図６は、コンソール４２の操作者によって実行する旨の指示操作が操作パネル１０２を介して行われた際にコンソール４２のＣＰＵ１０４によって実行される放射線画像撮影処理プログラムの処理の流れを示すフローチャートであり、当該プログラムはＲＯＭ１０６の所定領域に予め記憶されている。
【００７７】
同図のステップ３００では、予め定められた初期情報入力画面をディスプレイ１００により表示させるようにディスプレイドライバ１１２を制御し、次のステップ３０２にて所定情報の入力待ちを行う。
【００７８】
図７には、上記ステップ３００の処理によってディスプレイ１００により表示される初期情報入力画面の一例が示されている。同図に示すように、本実施の形態に係る初期情報入力画面では、これから放射線画像の撮影を行う被検者の氏名、撮影部位、撮影時の姿勢（本実施の形態では、臥位、立位の何れか）、撮影枚数、および撮影時の放射線Ｘの曝射条件（本実施の形態では、放射線Ｘを曝射する際の管電圧、管電流、および曝射期間）の入力を促すメッセージと、これらの情報の入力領域が表示される。
【００７９】
同図に示す初期情報入力画面がディスプレイ１００に表示されると、コンソール４２の操作者は、撮影対象とする被検者の氏名、撮影部位、撮影時の姿勢、撮影枚数、および曝射条件を、各々対応する入力領域に操作パネル１０２を介して入力する。一方、放射線画像の撮影を行う撮影者は、携帯端末装置１４０を所持し、撮影に用いる電子カセッテ３２を、予定されている撮影姿勢に応じて立位台４５の保持部１５０または臥位台４６の保持部１５２に保持させた後、被検者を所定の撮影位置に位置させた状態で待機する。コンソール４２の操作者は、以上の撮影者による作業が終了したことを確認すると、初期情報入力画面の下端近傍に表示されている終了ボタンを、操作パネル１０２を介して指定する。
【００８０】
操作者によって初期情報入力画面の終了ボタンが指定されると、上記ステップ３０２が肯定判定となってステップ３０４に移行し、初期情報入力画面において入力された撮影枚数を残撮影枚数（変数）に代入する。
【００８１】
次のステップ３０６では、初期情報入力画面において入力された曝射条件を放射線発生装置３４および電子カセッテ３２へ無線通信部１１８を介して送信することにより当該爆射条件を設定する。これに応じて放射線発生装置３４の線源制御部１３４は、受信した曝射条件での曝射準備を行う。
【００８２】
次のステップ３０８では、曝射開始を指示する指示情報を放射線発生装置３４および電子カセッテ３２へ無線通信部１１８を介して送信する。これに応じて、放射線源１３０は、放射線発生装置３４がコンソール４２から受信した曝射条件に応じた管電圧、管電流、および曝射期間で放射線を発生して射出する。放射線源１３０から曝射された放射線Ｘは、被検者を透過した後に電子カセッテ３２に到達する。
【００８３】
一方、電子カセッテ３２のカセッテ制御部９２は、上記曝射開始を指示する指示情報を受信すると、内蔵された放射線検出器６０の各画素部７４の蓄積容量６８への電荷の蓄積を開始し、上記曝射条件で指定された曝射期間の経過後にゲート線ドライバ８０を制御してゲート線ドライバ８０から１ラインずつ順に各ゲート配線７６にオン信号を出力させ、各ゲート配線７６に接続された各ＴＦＴ７０を１ラインずつ順にオンさせる。
【００８４】
放射線検出器６０は、各ゲート配線７６に接続された各ＴＦＴ７０を１ラインずつ順にオンされると、１ラインずつ順に各蓄積容量６８に蓄積された電荷が電気信号として各データ配線７８に流れ出す。各データ配線７８に流れ出した電気信号は信号処理部８２でデジタルの画像データに変換されて、画像メモリ９０に記憶される。
【００８５】
カセッテ制御部９２は、撮影終了後、画像メモリ９０に記憶された画像データを無線通信によりコンソール４２へ送信する。
【００８６】
そこで、次のステップ３１０では、当該画像データが電子カセッテ３２から受信されるまで待機し、次のステップ３１２にて、第１情報送信処理ルーチン・プログラムを実行する。
【００８７】
以下、図８を参照して、本実施の形態に係る第１情報送信処理ルーチン・プログラムについて説明する。なお、図８は、第１情報送信処理ルーチン・プログラムの処理の流れを示すフローチャートであり、当該プログラムもＲＯＭ１０６の所定領域に予め記憶されている。
【００８８】
同図のステップ４００では、前述した終了情報をＲＯＭ１０６から読み出し、次のステップ４０２にて、読み出した終了情報を携帯端末装置１４０に無線通信部１１８を介して送信した後、本第１情報送信処理ルーチン・プログラムを終了する。第１情報送信処理ルーチン・プログラムが終了すると、放射線画像撮影処理プログラム（メイン・ルーチン）のステップ３１４に移行する。
【００８９】
ステップ３１４では、電子カセッテ３２から受信した画像データに対してシェーディング補正等の各種の補正を行う画像処理を実行し、次のステップ３１６にて、上記画像処理が行われた画像データ（以下、「補正画像データ」と称する。）をＨＤＤ１１０に記憶する。
【００９０】
次のステップ３１８では、補正画像データにより示される放射線画像を、確認等を行うためにディスプレイ１００によって表示させるようにディスプレイドライバ１１２を制御し、次のステップ３２０にて、補正画像データをＲＩＳサーバ１４へ病院内ネットワーク１６を介して送信する。なお、ＲＩＳサーバ１４へ送信された補正画像データはデータベース１４Ａに格納され、医師が撮影された放射線画像の読影や診断等を行うことが可能となる。
【００９１】
次のステップ３２２では、残撮影枚数を１だけデクリメントし、次のステップ３２４にて、残撮影枚数が０（零）であるか否かを判定して、否定判定となった場合はステップ３２６に移行して第２情報送信処理ルーチン・プログラムを実行する。
【００９２】
以下、図９を参照して、本実施の形態に係る第２情報送信処理ルーチン・プログラムについて説明する。なお、図９は、第２情報送信処理ルーチン・プログラムの処理の流れを示すフローチャートであり、当該プログラムもＲＯＭ１０６の所定領域に予め記憶されている。
【００９３】
同図のステップ４３０では、前述したエラー情報およびワーニング情報の少なくとも一方がＨＤＤ１１０に記憶されているか否かを判定し、否定判定となった場合は後述するステップ４３４に移行する一方、肯定判定となった場合にはステップ４３２に移行する。
【００９４】
ステップ４３２では、上記ステップ４３０の処理において記憶されていると判定されたエラー情報およびワーニング情報の少なくとも一方の全てをＨＤＤ１１０から読み出し、読み出した情報をＨＤＤ１１０から消去した後にステップ４３４に移行する。
【００９５】
ステップ４３４では、残電力量情報記憶機能によって記憶されている最新の残電力量情報をＨＤＤ１１０から読み出し、次のステップ４３６にて、以上の処理によってＨＤＤ１１０から読み出した情報および上記残撮影枚数を一纏めとすることにより携帯提示情報を作成する。
【００９６】
次のステップ４３８では、上記ステップ４３６の処理によって作成した携帯提示情報を携帯端末装置１４０に無線通信部１１８を介して送信し、その後に本第２情報送信処理ルーチン・プログラムを終了する。第２情報送信処理ルーチン・プログラムが終了すると、放射線画像撮影処理プログラム（メイン・ルーチン）のステップ３０８に移行する。
【００９７】
一方、上記ステップ３２４において肯定判定となった場合はステップ３２８に移行し、第３情報送信処理ルーチン・プログラムを実行する。
【００９８】
以下、図１０を参照して、本実施の形態に係る第３情報送信処理ルーチン・プログラムについて説明する。なお、図１０は、第３情報送信処理ルーチン・プログラムの処理の流れを示すフローチャートであり、当該プログラムもＲＯＭ１０６の所定領域に予め記憶されている。
【００９９】
同図のステップ４５０では、前述した全終了情報をＲＯＭ１０６から読み出し、次のステップ４５２にて、読み出した全終了情報を携帯端末装置１４０に無線通信部１１８を介して送信した後、本第３情報送信処理ルーチン・プログラムを終了する。第３情報送信処理ルーチン・プログラムが終了すると、放射線画像撮影処理プログラム（メイン・ルーチン）もまた終了する。
【０１００】
次に、図１１を参照して、報知処理を実行する際の携帯端末装置１４０の作用を説明する。なお、図１１は、終了情報、携帯提示情報、および全終了情報の何れかをコンソール４２から受信した際に携帯端末装置１４０の端末制御部１４１により実行される報知処理プログラムの処理の流れを示すフローチャートであり、当該プログラムは端末制御部１４１に内蔵されたメモリ１４１Ａの所定領域に予め記憶されている。
【０１０１】
同図のステップ５００では、コンソール４２から受信した情報が終了情報であったか否かを判定し、肯定判定となった場合はステップ５０２に移行する。
【０１０２】
ステップ５０２では、報知パターン情報における「１画像送信終了」に対応する報知音パターンをメモリ１４１Ａから読み出し、次のステップ５０４にて、読み出した報知音パターンに応じた状態で作動するようにスピーカ１４４を制御した後に本報知処理プログラムを終了する。
【０１０３】
一方、上記ステップ５００において否定判定となった場合にはステップ５０６に移行し、コンソール４２から受信した情報が携帯提示情報であったか否かを判定して、肯定判定となった場合はステップ５０８に移行する。
【０１０４】
ステップ５０８では、受信した携帯提示情報にワーニング情報が含まれているか否かを判定し、否定判定となった場合はステップ５１４に移行する一方、肯定判定となった場合にはステップ５１０に移行する。
【０１０５】
ステップ５１０では、報知パターン情報における「ワーニング発生」に対応する報知振動パターンをメモリ１４１Ａから読み出し、次のステップ５１２にて、読み出した報知振動パターンに応じた状態で振動するようにバイブレータ１４５を制御した後にステップ５１４に移行する。
【０１０６】
ステップ５１４では、受信した携帯提示情報にエラー情報が含まれているか否かを判定し、否定判定となった場合はステップ５２０に移行する一方、肯定判定となった場合にはステップ５１６に移行する。
【０１０７】
ステップ５１６では、報知パターン情報における「エラー発生」に対応する報知音パターンをメモリ１４１Ａから読み出し、次のステップ５１８にて、読み出した報知音パターンに応じた状態で作動するようにスピーカ１４４を制御した後にステップ５２０に移行する。
【０１０８】
ステップ５２０では、携帯提示情報に含まれる残電力量情報に基づいて、当該残電力量情報により示される残電力量での電子カセッテ３２による撮影可能枚数を導出する。なお、本実施の形態に係る携帯端末装置１４０では、上記撮影可能枚数を、予め定められた残電力量と撮影可能枚数との関係を示すテーブル情報を参照することにより導出しているが、これに限らず、例えば、残電力量を代入することにより撮影可能枚数を算出することができるものとして予め定められた演算式を用いて導出する形態等の他の形態としてもよいことは言うまでもない。
【０１０９】
次のステップ５２２では、上記残電力量および撮影可能枚数と、上記携帯提示情報に含まれる残撮影枚数とを用いて、予め定められたフォーマットとされた撮影関連情報報知画面を表示するように表示部１４３を制御し、その後に本報知処理プログラムを終了する。
【０１１０】
図１２には、上記ステップ５２２の処理によって携帯端末装置１４０の表示部１４３により表示される撮影関連情報報知画面の一例が示されている。同図に示すように、本実施の形態に係る撮影関連情報報知画面では、電子カセッテ３２による残撮影枚数が表示されると共に、電子カセッテ３２のバッテリ９６Ａが満充電である場合に対する残電力量の割合を示すバー、および上記ステップ５２０の処理によって導出した撮影可能枚数が表示される。従って、同図に示す撮影関連情報報知画面を参照することにより、撮影者は、今回の放射線画像の撮影における残撮影枚数と、バッテリ９６Ａの残電力量および撮影可能枚数とを容易に把握することができる。
【０１１１】
一方、上記ステップ５０６において否定判定となった場合には、コンソール４２から全終了情報を受信したものと見なしてステップ５２４に移行し、報知パターン情報における「全画像送信終了」に対応する報知音パターンをメモリ１４１Ａから読み出し、次のステップ５２６にて、読み出した報知音パターンに応じた状態で作動するようにスピーカ１４４を制御した後に本報知処理プログラムを終了する。
【０１１２】
以上詳細に説明したように、本実施の形態によれば、可搬型の報知装置（本実施の形態では、携帯端末装置１４０）によって放射線画像撮影装置（本実施の形態では、電子カセッテ３２）による放射線画像の残りの撮影枚数を報知しているので、予定されている撮影の撮り残しを防止することができる。
【０１１３】
また、本実施の形態によれば、撮影制御装置（本実施の形態では、コンソール４２）から前記報知装置に対し、前記放射線画像撮影装置においてエラーおよびワーニングの少なくとも一方の状態が発生した場合に、発生した状態を示す情報をさらに送信し、前記報知装置により、当該情報により示される状態をさらに報知しているので、撮影者に対して前記放射線画像撮影装置におけるエラーおよびワーニングの少なくとも一方の発生を容易に把握させることができる結果、当該エラーやワーニングの発生に起因する撮影の撮り残しを防止することができる。
【０１１４】
また、本実施の形態によれば、前記撮影制御装置から前記報知装置に対し、前記放射線画像撮影装置に備えられた電池（本実施の形態では、バッテリ９６Ａ）の残電力量を示す残電力量情報をさらに送信し、前記報知装置により、前記残電力量情報により示される前記電池の残電力量をさらに報知しているので、放射線画像撮影装置に設けられた電池の残電力量不足に起因する撮影の撮り残しを防止することができる。
【０１１５】
また、本実施の形態によれば、前記撮影制御装置から前記報知装置に対し、前記放射線画像撮影装置による放射線画像の撮影により得られた画像情報の前記撮影制御装置への送信が終了したことを示す終了情報をさらに送信し、前記報知装置により、前記終了情報を受信した場合に、前記画像情報の送信が終了したことをさらに報知しているので、撮影者に対して、放射線画像撮影装置から撮影制御装置への画像情報の送信が終了したことを容易に把握させることができる結果、当該画像情報の送信中に撮影を行ってしまうことに起因する撮影の撮り残しを防止することができる。
【０１１６】
特に、本実施の形態によれば、前記撮影制御装置から前記報知装置に対し、前記放射線画像撮影装置により放射線画像の撮影を連続的に行う場合で、かつ当該連続的に行う放射線画像の撮影が全て終了した場合に、当該撮影が全て終了したことを示す全終了情報をさらに送信し、前記報知装置により、前記全終了情報を受信した場合に、前記連続的な放射線画像の撮影が全て終了したことをさらに報知しているので、撮影者に対して連続的な放射線画像の撮影が全て終了したことを容易に把握させることができる結果、より高いレベルで撮り残しを防止することができる。
【０１１７】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【０１１８】
また、上記の実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における適宜の組み合わせにより種々の発明を抽出できる。実施の形態に示される全構成要件から幾つかの構成要件が削除されても、効果が得られる限りにおいて、この幾つかの構成要件が削除された構成が発明として抽出され得る。
【０１１９】
例えば、上記実施の形態では、終了情報、全終了情報、および携帯提示情報をコンソール４２から携帯端末装置１４０に送信する場合について説明したが、本発明はこれに限定されるものではなく、例えば、これらの情報を電子カセッテ３２から携帯端末装置１４０に送信する形態としてもよい。この場合も、上記実施の形態と同様の効果を奏することができる。
【０１２０】
また、上記実施の形態では、残撮影枚数および残電力量を表示部１４３により報知する場合について説明したが、本発明はこれに限定されるものではなく、これらの情報をスピーカ１４４およびバイブレータ１４５の少なくとも一方により報知する形態としてもよい。この場合の形態例としては、例えば、残撮影枚数と同一の回数だけスピーカ１４４を間欠的に鳴動させる形態、残撮影枚数と同一の回数だけバイブレータ１４５を間欠的に振動させる形態、残電力量が少なくなるに従ってスピーカ１４４の間欠的な鳴動間隔を狭くする形態等を例示することができる。この場合、これらの情報も、携帯端末装置１４０に視線を移すことなく把握することができる結果、より利便性を向上させることができる。
【０１２１】
また、上記実施の形態では、電子カセッテ３２におけるワーニングの発生およびエラーの発生の少なくとも一方の報知をスピーカ１４４およびバイブレータ１４５の少なくとも一方により報知する場合について説明したが、本発明はこれに限定されるものではなく、これらの情報を表示部１４３により報知する形態としてもよい。
【０１２２】
また、上記実施の形態では、撮影者が携帯端末装置１４０を所持した状態で放射線画像の撮影を行う場合について説明したが、本発明はこれに限定されるものではなく、例えば、放射線撮影室４４におけるコンソール４２が設けられている操作室を仕切る扉に、表示部１４３が露出された状態で携帯端末装置１４０を設置する形態としてもよい。なお、この場合は、表示部１４３により、電子カセッテ３２におけるワーニングおよびエラーの発生を報知することになる。
【０１２３】
また、上記実施の形態では、放射線としてＸ線を適用した場合について説明したが、本発明はこれに限定されるものではなく、γ線等の他の放射線を適用する形態としてもよい。
【０１２４】
また、上記実施の形態では、電子カセッテ３２とコンソール４２との間、放射線発生装置３４とコンソール４２との間、およびコンソール４２と携帯端末装置１４０との間で無線にて通信を行う場合について説明したが、本発明はこれに限定されるものではなく、例えば、これらの少なくとも１組を有線にて通信を行う形態としてもよい。
【０１２５】
その他、上記実施の形態で説明したＲＩＳ１０の構成（図１参照。）、放射線撮影室の構成（図２参照。）、電子カセッテ３２の構成（図３参照。）、撮影システム１８の構成（図４参照。）は一例であり、本発明の主旨を逸脱しない範囲内において、不要な部分を削除したり、新たな部分を追加したり、接続状態等を変更したりすることができることは言うまでもない。
【０１２６】
また、上記実施の形態で説明した各種画面の構成（図７，図１２参照。）も一例であり、本発明の主旨を逸脱しない範囲内において、不要な情報を削除したり、新たな情報を追加したり、表示状態等を変更したりすることができることは言うまでもない。
【０１２７】
また、上記実施の形態で説明した報知パターン情報における各報知状態（図５参照。）も一例であり、本発明の主旨を逸脱しない範囲内において、他の報知状態を適用してもよいことは言うまでもない。
【０１２８】
さらに、上記実施の形態で説明した各種プログラムの処理の流れ（図６，図８〜図１１参照。）も一例であり、本発明の主旨を逸脱しない範囲内において、不要なステップを削除したり、新たなステップを追加したり、処理順序を入れ換えたりすることができることは言うまでもない。
【符号の説明】
【０１２９】
１０    ＲＩＳ
１８    放射線画像撮影システム
３２    電子カセッテ
３４    放射線発生装置
４２    コンソール
６０    放射線検出器
９２    カセッテ制御部
９２Ａ  ＣＰＵ
９４    無線通信部
９６Ａ  バッテリ（電池）
１００  ディスプレイ
１０２  操作パネル
１０４  ＣＰＵ
１０６  ＲＯＭ
１１０  ＨＤＤ
１１８  無線通信部（送信手段）
１３０  放射線源
１４０  携帯端末装置
１４１  端末制御部
１４１Ａ  メモリ
１４２  無線通信部（受信手段）
１４３  表示部（報知手段）
１４４  スピーカ（報知手段）
１４５  バイブレータ（報知手段）
【図１】
0005555597.tif 000002
【図２】
0005555597.tif 000003
【図３】
0005555597.tif 000004
【図４】
0005555597.tif 000005
【図５】
0005555597.tif 000006
【図６】
0005555597.tif 000007
【図７】
0005555597.tif 000008
【図８】
0005555597.tif 000009
【図９】
0005555597.tif 000010
【図１０】
0005555597.tif 000011
【図１１】
0005555597.tif 000012
【図１２】
0005555597.tif 000013